(57)【要約】【課題】    無方向性受動式チップ散熱器の提供。【解決手段】    散熱器は均熱底板のベース、及び、複数の散熱部からなり、均熱底板のベースはチップ上に設置され、均熱底板のベースは縦横排列で、全面的に開放され阻害されず、且つ、大面積の受風面、及び、受風面方向の散熱部を有する。チップの高熱は、均熱底板のベースを利用して外に伝導され、その上方の縦横独立排列の散熱部を経て、各方向の風を吹送する。底部の接触面積が大きく、且つ、伝導速度も好ましいので、チップの寿命を延長する以外に、熱輻射、及び、対流干渉がなく、これにより、無方向性受動式チップ散熱器を構成する。【選択図】    図６
0003122013.tif 000002
【実用新案登録請求の範囲】
【請求項１】
無方向性受動式チップ散熱器であって、前記散熱器はチップ上に覆蓋された均熱底板のベース、及び、散熱部から構成され、その特徴は、前記散熱部は縦横に独立して排列されたブロック状を呈し、前記チップの高熱を外に伝導し、風の吹送が阻害されずに開放的で、熱輻射、及び、熱対流の干渉がなく、底部面積が大きいことを特徴とする無方向性受動式チップ散熱器。
【請求項２】
前記散熱部は経緯対応、及び、対称型の排列であることを特徴とする請求項１に記載の無方向性受動式チップ散熱器。
【請求項３】
前記散熱部は下に広く上に狭いテーパ状であることを特徴とする請求項１に記載の無方向性受動式チップ散熱器。
【請求項４】
前記散熱部は四角錘のピラミッド型であることを特徴とする請求項１に記載の無方向性受動式チップ散熱器。
【考案の詳細な説明】
【技術分野】
【０００１】
本考案は 無方向性受動式チップ散熱器に関し、詳細には、受動方式でチップの散熱を補助し、チップが生成する高熱は、上方の均熱底板のベース、及び、その上方の独立した縦横排列の散熱部を経て、風は四面八方に障害なく完全に開放されて熱を運び、効果的に均熱底板のベースとの接触面積を増加させ、散熱効果を向上させる散熱器に関する。
【背景技術】
【０００２】
図１〜図５は、それぞれ、公知の立体組み合わせ図、公知の上視図、公知の側視図、公知のもう一方向の上視図、公知の有動力受風面を示す図である。金融、衣食住、娯楽、及び、その延伸性工程を含む基礎工業、科学技術工業において、大部分はチップ回路、及び、相関する製品の支配から離れられない。特に、コンピュータが代表性製品の一つである。しかし、チップを生産する企業は、厳しい競争の市場で一定の優勢を得るため、チップを縮小化、功能の強大化の路線に進み、チップの安定度と使用寿命が不可欠な注意事項となっている。
【０００３】
このほか、チップは使用中に熱量を生成し、その熱量はチップの実行速度を低下させ、チップの使用状況によっては、チップを破壊させる恐れがある。チップ温度を低下させるため、業者はチップ付近にファンを装着し、ファンが提供する風力によりチップが生成する熱量を散熱させている。また、業者は、コンピュータのCPU、メモリ等の重要なチップに散熱量を増加させる散熱フィン（１）を貼合し、ファンの風力と散熱フィン（１）の導熱作用によりチップ（A）の散熱を加速する目的を達成し、チップ（A）の作用を安定させ、チップ（A）の使用寿命を延長させる。
【０００４】
図１で示されるように、チップ（A）上に散熱フィン（１）を貼固し、散熱フィン（１）下端にチップ（A）の熱量を伝導するベース（１０）を有し、ベース（１０）上にフィン（１１）を有し、且つ、半封閉空間構造のフィン（１１）は単方向、等距離の薄型片体で、接触面積は小さい。
【０００５】
図２で示されるように、チップ（A）上に散熱フィン（１）を貼固し、且つ、チップ（A）外に風がある（チップ外の大きい矢印で示される）。チップ（A）使用時、熱エネルギーは半封閉空間構造の散熱フィン（１）のフィン（１１）上に伝導され、能動式風の風力を運用してフィン（１１）の熱量をチップ（A）から奪うが、熱輻射、及び、熱対流が互いに干渉する（フィン（１１）間の相対する小さい矢印で示される）。
【０００６】
図３で示されるように、フィン（１１）の壁面から風が吹き込む時、阻害を受けて、各フィン（１１）間の空間内に進入できず、能動の風力はフィン（１１）上方から通過するだけで（図中の最上方の矢印）、各フィン（１１）間の熱はこの範囲の循環から出ることができない（各フィン（１１）間の相対する弧形矢印で示される）。
【０００７】
図４で示されるように、風が散熱フィン（１）の各フィン（１１）間のチャンネルを通過して吹入される時、左右の単方向両側だけ進出でき、全方位の吹入が不能なので、散熱効果が好ましくない。
【０００８】
図５で示されるように、能動の風力が半封閉空間構造の散熱フィン（１）から上方に吹送する時、フィン（１１）は薄片板状なので、受風面はフィン（１１）の頂部のごく僅かな面積（上方の矢印の接触位置）、及び、最低部の凹弧位置（各フィン（１１）間の内底部分）で止まり、故に、熱を運ぶ風が阻害を受ける以外に、その受風面が小さく、接触面積が小さすぎて、好ましい散熱効果が得られない。
【０００９】
公知品の装設時、能動風力と最適方向であることを考慮しなければいけない以外に、構造設計が不良で、フィン（１１）の設置方向が風と垂直である時、風は各フィン（１１）を貫通することができず、熱輻射はフィン（１１）とフィン（１１）間に残留し、散熱効果が減少する。散熱フィンが単純な構造の素子であり、装着時に、その方向性を考慮しなければ、設計、製造上の大問題となる。また、散熱フィン（１）のフィン（１１）自身は狭く、薄い素子で、受風面が小さく、更に、均熱底板の散熱フィン（１）との接触面積が少なすぎて、熱エネルギーの伝導量が減少する。
【００１０】
公知の半封閉空間構造の散熱フィンは、単方向、等距離の薄型片体を利用し、チップの高熱はその接触するベースを利用し、片体に伝達して、チップの散熱を補助するが、散熱フィン構造の設計の不良は熱輻射、及び、熱対流の干渉を生じる以外に、散熱面積が小さく、フィン単方向の受風面が小さい設計により風力の阻止を生じ、熱輻射が残留して、能動式風吹の散熱フィンがあっても均熱底板のベース接触面が小さすぎ、チップの高熱が運ばれず、散熱効果が好ましくない。
【考案の開示】
【考案が解決しようとする課題】
【００１１】
本考案の目的は、無方向性受動式チップ散熱器を提供し、上述の問題を解決することを目的とする。
【課題を解決するための手段】
【００１２】
本考案の無方向性受動式チップ散熱器において、散熱器は均熱底板のベース、及び、複数のブロック状の散熱部からなり、均熱底板のベースはチップ上に設置され、均熱底板上方は縦横排列で、全面的に開放された独立散熱部を有し、これにより、無方向性受動式チップ散熱器を組み立てる。チップと接合する均熱底板のベースとの接触大面積を利用して高熱を伝送し、その上方の縦横独立排列の散熱部を経て、チップの高熱を快速に外に伝導し、風の吹送が阻害なく通過でき、熱輻射、熱対流の干渉がなく、チップの寿命を延長することを目的とする。
【００１３】
本考案の無方向性受動式チップ散熱器において、散熱部は経緯対応、対称型排列を採用し、風が四面八方から無方向性で吹送することができるようにする。
【００１４】
本考案の無方向性受動式チップ散熱器において、散熱部は下が広く上が狭いテーパ状を呈し、接触面積が６５％増加する。
【００１５】
本考案の無方向性受動式チップ散熱器において、散熱部は四角錘のピラミッド型である。
【考案の効果】
【００１６】
本考案により、チップの散熱を加速し、且つ、組み立て方向を考慮しなくてもよいチップ散熱器が提供される。
【考案を実施するための最良の形態】
【００１７】
図６は本考案の立体組み合わせ図で、チップ（A１）上に開放空間の散熱器（４）を覆蓋し、散熱器（４）下端に、チップ（A１）の熱量を伝導する均熱底板のベース（４０）を有し、均熱底板のベース（４０）上に設けられた複数の散熱部（４１）は各自独立していて、縦横に独立排列されたブロック状である。本実施例は経緯対応、及び、対称型の排列である。
【００１８】
図７、図８、図９は、それぞれ、本考案の上視図、本考案の無動力風量を示す図、本考案の有動力受風面（全面）方向を示す図である。図７で示されるように、本考案の散熱器（４）は均熱底板のベース（４０）上方に複数のブロック状の散熱部（４１）を設け、チップ（A１）は散熱器（４）の均熱底板のベース（４０）を覆蓋する。散熱器は円錐状の独立構造で、均熱底板（４０）により、チップ（A１）の高熱を散熱部（４１）に伝導する。その設計は縦横の全開放性の空間構造であり、四面八方の受動式無動力風量が吹入するか、或いは、有動力風量が吹入する時、障害がないので、全面性方向で吹送し（図７の矢印で示される）、即ち、使用中のチップ（A１）が生成する熱量は散熱器（４）の均熱底板のベース（４０）を経て散熱部（４１）に伝導され、四面八方から吹入する風により散熱部（４１）の熱エネルギーを空気中に消散させる。本考案を装着時、方向を考慮しなくても、風力が阻害されず通過できる。
【００１９】
図８で示されるように、テーパ状散熱部（４１）は受風面方向の面積が大きく、上向き、或いは、四面八方に熱エネルギーを発散させる。
【００２０】
図９で示されるように、有動力の時、受風面は全面方向で、つまり、受風面は最大の最適な面積を得て、全開放性の構造であり、均熱底板のベース（４０）上方は最適な受風面を有するので、吹送する風は受風面の熱エネルギーを完全、快速に運ぶ（図中の下向きの矢印で示される）。本実施例はその散熱部（４１）が下に広く上に狭い円錐状で、下の広い箇所と均熱底板のベース（４０）が固接されて導熱面積を増加させる。全体から見ると、導熱接触面積が増大する。また、散熱部（４１）は独立した方式で組み立てられ、経緯対応、及び対称排列であるので、散熱部(４１)と散熱部（４１）の間にも同様に阻害がなく、風量が動力を有していても、無動力であっても、各方向に迅速に風を通過させ、全体的に見ると、散熱部（４１）の散熱底部の加大面積は実質増加の効果を有する。また、散熱部（４１）の組み立てはその方向性、及び、熱伝導速度、及び、熱輻射、熱対流の干渉を考慮しなくてもよい。
【００２１】
図１０、図１１は、それぞれ、本考案のもう一つの実施例の組み合わせ図、本考案の図１０の上視図である。本考案の散熱部（４１）は四角錘のピラミッド状にし、この形状により本考案の散熱面積を更に増加させ、各方向の風を散熱器（４）（図１１で示される）に吹送し、阻害されずに均熱底板のベース（４０）、及び、散熱部（４１）を流経させ、高熱を帯導する。
【図面の簡単な説明】
【００２２】
【図１】公知の立体組み合わせ図である。
【図２】公知の上視図である。
【図３】公知の側視図である。
【図４】公知のもう一つの上視図である。
【図５】公知の有動力受風面の実施図である。
【図６】本考案の立体組み合わせ図である。
【図７】本考案の上視図である。
【図８】本考案の無動力風量を示す図である。
【図９】本考案の有動力受風面（全面）方向を示す図である。
【図１０】本考案のもう一つの実施例の組み合わせ図である。
【図１１】本考案の図１０の上視図である。
【符号の説明】
【００２３】
公知技術
（A）
チップ
（B）
風
（１）          
散熱フィン
（１０）ベース
（１１）フィン
本考案
（A１）チップ
（４０）均熱底板のベース
（４）散熱器
（４１）散熱部
【図１】
0003122013.tif 000003
【図２】
0003122013.tif 000004
【図３】
0003122013.tif 000005
【図４】
0003122013.tif 000006
【図５】
0003122013.tif 000007
【図６】
0003122013.tif 000008
【図７】
0003122013.tif 000009
【図８】
0003122013.tif 000010
【図９】
0003122013.tif 000011
【図１０】
0003122013.tif 000012
【図１１】
0003122013.tif 000013